(57)【特許請求の範囲】
【請求項１】
端末の表示画面に、当該表示画面よりも大きいデジタル画像を表示させる画像表示装置であって、
前記デジタル画像を受信する画像受信手段と、
前記受信したデジタル画像を、前記表示画面上で表示可能なサイズの複数のサブ画像に分割する画像分割手段と、
前記分割された複数のサブ画像の各々を該複数のサブ画像の各々において隣接するサブ画像との間の位置関係が一意に識別し得る位置情報を含むファイル名のファイルに蓄積する画像蓄積手段と、
前記複数のサブ画像の各々の、前記位置情報を含むファイル名を、リンク先として設定した端末用Ｗｅｂページを生成する生成手段と、
前記端末用ＷｅｂページのＵＲＬを記述した電子メールを、前記端末に送信する電子メール送信手段と、
前記端末から要求されたリンク先のファイルに蓄積されたサブ画像を読み出し、前記端末に表示させる表示制御手段と
を有することを特徴とする画像表示装置。
【請求項２】
前記画像受信手段は、電話網に接続され、該電話網から送信されるファクシミリ画像を受信するファクシミリ受信手段を有することを特徴とする請求項１記載の画像表示装置。
【請求項３】
前記画像受信手段は、インターネットに接続され、該インターネットからの電子メールに添付されたデジタル画像を受信する電子メール受信手段を有することを特徴とする請求項１または２記載の画像表示装置。
【請求項４】
端末の表示画面に、当該表示画面よりも大きいデジタル画像を表示させる画像表示方法であって、
画像表示装置は、
前記デジタル画像を受信する画像受信ステップと、
前記受信したデジタル画像を、前記表示画面上で表示可能なサイズの複数のサブ画像に分割する画像分割ステップと、
前記分割された複数のサブ画像の各々を該複数のサブ画像の各々において隣接するサブ画像との間の位置関係が一意に識別し得る位置情報を含むファイル名のファイルに蓄積する画像蓄積ステップと、
前記複数のサブ画像の各々の、前記位置情報を含むファイル名を、リンク先として設定した端末用Ｗｅｂページを生成する生成ステップと、
前記端末用ＷｅｂページのＵＲＬを記述した電子メールを、前記端末に送信する電子メール送信ステップと、
前記端末から要求されたリンク先のファイルに蓄積されたサブ画像を読み出し、前記端末に表示させる表示制御ステップと、を行うこと
を特徴とする画像表示方法。
【請求項５】
前記画像受信ステップは、電話網から送信されるファクシミリ画像を受信することを特徴とする請求項４記載の画像表示方法。
【請求項６】
前記画像受信ステップは、インターネットからの電子メールに添付されたデジタル画像を受信することを特徴とする請求項４または５記載の画像表示方法。
【請求項７】
端末の表示画面に、当該表示画面よりも大きいデジタル画像を表示させる画像表示プログラムを記録した記録媒体であって、
コンピュータに、
前記デジタル画像を受信する画像受信ステップと、
前記受信したデジタル画像を、前記表示画面上で表示可能なサイズの複数のサブ画像に分割する画像分割ステップと、
前記分割された複数のサブ画像の各々を該複数のサブ画像の各々において隣接するサブ画像との間の位置関係が一意に識別し得る位置情報を含むファイル名のファイルに蓄積する画像蓄積ステップと、
前記複数のサブ画像の各々の、前記位置情報を含むファイル名を、リンク先として設定した端末用Ｗｅｂページを生成する生成ステップと、
前記端末用ＷｅｂページのＵＲＬを記述した電子メールを、前記端末に送信する電子メール送信ステップと、
前記端末から要求されたリンク先のファイルに蓄積されたサブ画像を読み出し、前記端末に表示させる表示制御ステップと、
を実行させるための画像表示プログラムを記録した記録媒体。
【請求項８】
前記画像受信ステップは、電話網から送信されるファクシミリ画像を受信することを特徴とする請求項７記載の画像表示プログラムを記録した記録媒体。
【請求項９】
前記画像受信ステップは、インターネットからの電子メールに添付されたデジタル画像を受信することを特徴とする請求項７または８記載の画像表示プログラムを記録した記録媒体。
【発明の詳細な説明】
【０００１】
【発明の属する技術分野】
本発明は、表示領域が表示画面よりも大きなデジタル画像を受信して表示する画像表示装置に関し、具体的には例えば移動電話端末において電話網からのファクシミリ画像およびインターネットからの電子メールに添付された電子画像を受信し、移動電話端末の表示画面に表示する画像表示装置および方法と画像表示プログラムを記録した記録媒体に関する。
【０００２】
【従来の技術】
画像は通常１ファイル（１枚）として表示されるため、ダウンロードに時間がかかるとともに、従来は複数の画面間の切り替え方向が一定である。
【０００３】
このような画像を携帯電話で表示しようとすると、携帯電話の表示画面は小さいものであるため、ＦＡＸのような大きなデータや、電子メールで送られてくる大きな画像データは携帯電話で見ることができない。
【０００４】
【発明が解決しようとする課題】
上述したように、携帯電話は、表示画面が小さいため、ＦＡＸのような大きなデータや、電子メールで送られてくる大きな画像データを見ることができないという問題がある。
【０００５】
また、画面の切り替え方向が一定であるため、画面を自由な方向に切り替えて自在に見ることができないという問題がある。
【０００６】
本発明は、上記に鑑みてなされたもので、その目的とするところは、表示領域が表示画面より大きな画像データでも小さな表示画面で自由な方向から自在に見ることができるように表示する画像表示装置および方法と画像表示プログラムを記録した記録媒体を提供することにある。
【０００７】
【課題を解決するための手段】
上記目的を達成するため、請求項１記載の本発明は、端末の表示画面に、当該表示画面よりも大きいデジタル画像を表示させる画像表示装置であって、前記デジタル画像を受信する画像受信手段と、前記受信したデジタル画像を、前記表示画面上で表示可能なサイズの複数のサブ画像に分割する画像分割手段と、前記分割された複数のサブ画像の各々を該複数のサブ画像の各々において隣接するサブ画像との間の位置関係が一意に識別し得る位置情報を含むファイル名のファイルに蓄積する画像蓄積手段と、前記複数のサブ画像の各々の、前記位置情報を含むファイル名を、リンク先として設定した端末用Ｗｅｂページを生成する生成手段と、前記端末用ＷｅｂページのＵＲＬを記述した電子メールを、前記端末に送信する電子メール送信手段と、前記端末から要求されたリンク先のファイルに蓄積されたサブ画像を読み出し、前記端末に表示させる表示制御手段とを有することを要旨とする。
【０００８】
請求項１記載の本発明にあっては、受信したデジタル画像が表示画面よりも大きい場合、該デジタル画像を表示画面上で表示可能なサイズの複数のサブ画像に分割し、この複数のサブ画像を位置情報とともに蓄積し、この蓄積した複数のサブ画像の各々を位置情報に基づいて表示画面に適宜切り替え表示するため、位置情報に基づいて複数のサブ画像を順次切り替え表示しながら閲覧することにより、例えば移動電話端末の小さな表示画面においていつでもどこでもＦＡＸや電子メールの大きな画像でも閲覧することができる。
【００１０】
また、請求項１記載の本発明にあっては、各Ｗｅｂページのリンクを辿ることにより複数のサブ画像の切り替え表示しながら閲覧することにより、例えば移動電話端末の小さな表示画面によりいつでもどこでもＦＡＸや電子メールの大きな画像でも閲覧することができる。
【００１１】
更に、請求項２記載の本発明は、請求項１記載の本発明において、前記画像受信手段が、電話網に接続され、該電話網から送信されるファクシミリ画像を受信するファクシミリ受信手段を有することを要旨とする。
【００１２】
請求項２記載の本発明にあっては、入力画像として電話網から送信されるファクシミリ画像を受信するため、ファクシミリ画像のような大きな画像でも例えば移動電話端末の小さな表示画面においていつでもどこでも閲覧することができる。
【００１３】
請求項３記載の本発明は、請求項１または２記載の本発明において、前記画像受信手段が、インターネットに接続され、該インターネットからの電子メールに添付されたデジタル画像を受信する電子メール受信手段を有することを要旨とする。
【００１４】
請求項３記載の本発明にあっては、インターネットからの電子メールに添付されたデジタル画像を受信するため、電子メールの画像のような大きな画像でも例えば移動電話端末の小さな表示画面においていつでもどこでも閲覧することができる。
【００１５】
また、請求項４記載の本発明は、端末の表示画面に、当該表示画面よりも大きいデジタル画像を表示させる画像表示方法であって、画像表示装置は、前記デジタル画像を受信する画像受信ステップと、前記受信したデジタル画像を、前記表示画面上で表示可能なサイズの複数のサブ画像に分割する画像分割ステップと、前記分割された複数のサブ画像の各々を該複数のサブ画像の各々において隣接するサブ画像との間の位置関係が一意に識別し得る位置情報を含むファイル名のファイルに蓄積する画像蓄積ステップと、前記複数のサブ画像の各々の、前記位置情報を含むファイル名を、リンク先として設定した端末用Ｗｅｂページを生成する生成ステップと、前記端末用ＷｅｂページのＵＲＬを記述した電子メールを、前記端末に送信する電子メール送信ステップと、前記端末から要求されたリンク先のファイルに蓄積されたサブ画像を読み出し、前記端末に表示させる表示制御ステップと、を行うことを要旨とする。
【００１６】
請求項４記載の本発明にあっては、受信したデジタル画像が表示画面よりも大きい場合、該デジタル画像を表示画面上で表示可能なサイズの複数のサブ画像に分割し、この複数のサブ画像を位置情報とともに蓄積し、この蓄積した複数のサブ画像の各々を位置情報に基づいて表示画面に適宜切り替え表示するため、位置情報に基づいて複数のサブ画像を順次切り替え表示しながら閲覧することにより、例えば移動電話端末の小さな表示画面においていつでもどこでもＦＡＸや電子メールの大きな画像でも閲覧することができる。
【００１８】
また、請求項４記載の本発明にあっては、各Ｗｅｂページのリンクを辿ることにより複数のサブ画像の切り替え表示しながら閲覧することにより、例えば移動電話端末の小さな表示画面によりいつでもどこでもＦＡＸや電子メールの大きな画像でも閲覧することができる。
【００１９】
請求項５記載の本発明は、請求項４記載の本発明において、前記画像受信ステップが、電話網から送信されるファクシミリ画像を受信することを要旨とする。
【００２０】
請求項５記載の本発明にあっては、入力画像として電話網から送信されるファクシミリ画像を受信するため、ファクシミリ画像のような大きな画像でも例えば移動電話端末の小さな表示画面においていつでもどこでも閲覧することができる。
【００２１】
また請求項６記載の本発明は、請求項４または５記載の本発明において、前記画像受信ステップが、インターネットからの電子メールに添付されたデジタル画像を受信することを要旨とする。
【００２２】
請求項６記載の本発明にあっては、インターネットからの電子メールに添付されたデジタル画像を受信するため、電子メールの画像のような大きな画像でも例えば移動電話端末の小さな表示画面においていつでもどこでも閲覧することができる。
【００２３】
更に、請求項７記載の本発明は、端末の表示画面に、当該表示画面よりも大きいデジタル画像を表示させる画像表示プログラムを記録した記録媒体であって、コンピュータに、前記デジタル画像を受信する画像受信ステップと、前記受信したデジタル画像を、前記表示画面上で表示可能なサイズの複数のサブ画像に分割する画像分割ステップと、前記分割された複数のサブ画像の各々を該複数のサブ画像の各々において隣接するサブ画像との間の位置関係が一意に識別し得る位置情報を含むファイル名のファイルに蓄積する画像蓄積ステップと、前記複数のサブ画像の各々の、前記位置情報を含むファイル名を、リンク先として設定した端末用Ｗｅｂページを生成する生成ステップと、前記端末用ＷｅｂページのＵＲＬを記述した電子メールを、前記端末に送信する電子メール送信ステップと、前記端末から要求されたリンク先のファイルに蓄積されたサブ画像を読み出し、前記端末に表示させる表示制御ステップと、を実行させるための画像表示プログラムを記録することを要旨とする。
【００２４】
請求項７記載の本発明にあっては、受信したデジタル画像が表示画面よりも大きい場合、該デジタル画像を表示画面上で表示可能なサイズの複数のサブ画像に分割し、この複数のサブ画像を位置情報とともに蓄積し、この蓄積した複数のサブ画像の各々を位置情報に基づいて表示画面に適宜切り替え表示する画像表示プログラムを記録媒体に記録しているため、該記録媒体を用いて、その流通性を高めることができる。
【００２６】
また、請求項７記載の本発明にあっては、該記録媒体を用いて、その流通性を高めることができる。
【００２７】
また、請求項８記載の本発明は、請求項７記載の本発明において、前記画像受信ステップが、電話網から送信されるファクシミリ画像を受信する画像表示プログラムを記録媒体に記録することを要旨とする。
【００２８】
請求項８記載の本発明にあっては、入力画像として電話網から送信されるファクシミリ画像を受信する画像表示プログラムを記録媒体に記録しているため、該記録媒体を用いて、その流通性を高めることができる。
【００２９】
更に、請求項９記載の本発明は、請求項７または８記載の本発明において、前記画像受信ステップが、インターネットからの電子メールに添付されたデジタル画像を受信する画像表示プログラムを記録媒体に記録することを要旨とする。
【００３０】
請求項９記載の本発明にあっては、インターネットからの電子メールに添付されたデジタル画像を受信する画像表示プログラムを記録媒体に記録しているため、該記録媒体を用いて、その流通性を高めることができる。
【００３１】
【発明の実施の形態】
以下、図面を用いて本発明の実施の形態を説明する。図１は、本発明の一実施形態に係る画像表示装置の構成を示す図である。同図に示すように、本実施形態の画像表示装置は、携帯電話ユーザ用ＦＡＸ画像変換・蓄積サーバ１として構成されるものであり、このＦＡＸ画像変換・蓄積サーバ１は、移動体通信会社ＧＷ３を介して例えばｉモードの携帯電話５に接続されるとともに、またインターネット７を介してデータ端末９に接続され、更に電話網１１を介してファクシミリ１３に接続されている。
【００３２】
また、ＦＡＸ画像変換・蓄積サーバ１は、電話網１１に接続され、電話網１１を介してファクシミリ１３から送信されてくるＦＡＸデータを受信するとともに、この受信したＦＡＸデータを例えばＴＩＦＦ−Ｆのような電子画像として生成するＦＡＸ受信部２１およびインターネット７に接続され、インターネット７を介してデータ端末９から送信されてくる電子メールを受信する電子メール受信部２３を有し、ＦＡＸ受信部２１からの電子画像および電子メール受信部２３からの電子メールに添付された電子画像は、画像変換部２５に供給されている。
【００３３】
画像変換部２５においては、ＦＡＸ受信部２１および電子メール受信部２３からの電子画像を携帯電話５のＷｅｂインタフェース上で表示可能な画像に変換するとともに、この変換された画像を携帯電話５の表示画面で表示可能なサイズの複数のサブ画像に分割し、それぞれのサブ画像の位置を明確に識別し得るように各サブ画像にファイル名を付与する。
【００３４】
図２は、この分割された複数のサブ画像とそのファイル名を示す図である。同図に示すように、ＦＡＸ受信部２１または電子メール受信部２３からの１枚の電子画像を横方向にＡ，Ｂ，Ｃ，Ｄと分割し、縦方向に１，２，３，４と分割すると、このように分割した交差部に相当するように分割された各サブ画像に対して該当する横方向および縦方向の分割符号を付して、図示のように「Ａ−１」「Ｂ−１」「Ｃ−１」「Ｄ−１」「Ａ−２」「Ｂ−２」…「Ｄ−４」のようなファイル名を各サブ画像に付与する。
【００３５】
この分割された複数のサブ画像は、その位置情報、すなわち各サブ画像において上下左右斜めにおいて隣接する各サブ画像との間の位置関係を一意に識別し得る位置情報であり、前記各サブ画像に付与されたファイル名で生成される位置情報とともに画像蓄積部２７に蓄積される。すなわち、図２で説明した「Ａ−１」…「Ｄ−４」などのファイル名は、各サブ画像の位置を表しているものであり、この位置がわかれば、その位置において上下左右斜めで隣接している各サブ画像との位置関係を識別し得るものであるため、各サブ画像の位置情報は、このファイル名から生成されることになる。
【００３６】
上述したように画像蓄積部２７に位置情報とともに蓄積された複数のサブ画像は、表示処理部２９に供給され、サブ画像の各々に対して前記位置情報に基づいてリンク付けされた携帯電話用Ｗｅｂページを生成管理する。この結果、ユーザはこのリンクを辿ることにより複数のサブ画像の切り替えを行なうことができ、これにより画像全体を閲覧できるようになる。
【００３７】
このリンク付けのルールは、ファイル名から位置を判断し、保管されている右下の位置情報を考慮して、リンクの方向を生成する。具体的には、例えばサブ画像Ａ−１の場合、表示されている画像の位置は、Ａであることから最左位置であり、１であることから最上位置であることが判断できる。従って、この位置から右、下、右斜め下のリンクを生成することができる。また、サブ画像Ａ−４の場合、表示されている画像の位置は、保管されている右下のサブ画像が「Ｄ−４」であることを考慮し、Ａであることから最左位置であり、４であることから最下位置であることが判断できる。従って、この位置から上、右、右斜め上のリンクを生成することができる。
【００３８】
このようにリンク付けされた携帯電話用Ｗｅｂページは、電子メール送信部３１に供給され、電子メール送信部３１から移動体通信会社ＧＷ３を介してユーザの携帯電話５に該ＷｅｂページのＵＲＬが通知される。ユーザは、このＵＲＬで各サブ画像にアクセスし、リンクを辿りながら画像全体を閲覧することができる。
【００３９】
次に、図３に示すフローチャートを参照して、上述した実施形態の作用を説明する。ＦＡＸ画像変換・蓄積サーバ１は、ファクシミリ１３から電話網１１を介してＦＡＸ受信部２１でＦＡＸ文書を受信するかまたはデータ端末９からインターネット７を介して電子メール受信部２３で電子メールを受信すると（ステップＳ１１）、ＦＡＸ受信部２１は、この受信したＦＡＸ文書を例えばＴＩＦＦ−Ｆなどの電子画像に変換して画像変換部２５に供給し、また電子メール受信部２３は電子メールに添付されている電子画像を取り出して画像変換部２５に供給する。
【００４０】
画像変換部２５は、電子画像を受け取ると、携帯電話５のＷｅｂインタフェース上で表示可能な画像に変換し（ステップＳ１３）、この変換された画像を携帯電話５上で表示可能なサイズの複数のサブ画像に分割するとともに（ステップＳ１５）、この複数のサブ画像の各々において上下左右斜めで隣接する各サブ画像との間の位置関係が一意に識別し得るファイル名となる位置情報を付与し、この位置情報とともに各サブ画像を画像蓄積部２７に蓄積する（ステップＳ１７）。
【００４１】
それから、画像蓄積部２７に蓄積された複数のサブ画像の各々に対して位置情報に基づいてリンク付けした携帯電話５用のＷｅｂページを表示処理部２９で生成管理する。そして、この生成したＷｅｂページのＵＲＬが記述された電子メールを電子メール送信部３１から移動体通信会社ＧＷ３を介して携帯電話５に送信する（ステップＳ１９）。
【００４２】
携帯電話５のユーザは、このＷｅｂページのＵＲＬ付きの電子メールを受信すると、携帯電話５から移動体通信会社ＧＷ３を介してＦＡＸ画像変換・蓄積サーバ１にアクセスし（ステップＳ２１）、ＦＡＸ画像変換・蓄積サーバ１の画像蓄積部２７に蓄積されているサブ画像を取得して携帯電話５の画面に表示するとともに、またリンクを辿りながら複数のサブ画像の切り替え表示を順次行ない、これにより画像全体を閲覧する（ステップＳ２３）。
【００４３】
なお、上記実施形態の画像表示方法の処理手順をプログラムとして記録媒体に記録して、この記録媒体をコンピュータシステムに組み込むとともに、該記録媒体に記録されたプログラムをコンピュータシステムにダウンロードまたはインストールし、該プログラムでコンピュータシステムを作動させることにより、画像表示方法を実施する画像表示装置として機能させることができることは勿論であり、このような記録媒体を用いることにより、その流通性を高めることができるものである。
【００４４】
【発明の効果】
以上説明したように、本発明によれば、画像が表示画面よりも大きい場合、画像を表示画面上で表示可能なサイズの複数のサブ画像に分割し、この複数のサブ画像を位置情報とともに蓄積し、この複数のサブ画像の各々を位置情報に基づいて表示画面に適宜切り替え表示するので、位置情報に基づいて複数のサブ画像を順次切り替え表示しながら閲覧することにより、例えば移動電話端末の小さな表示画面においていつでもどこでもＦＡＸや電子メールの大きな画像でも画像全体を簡単に閲覧することができ、利便性を著しく向上することができる。
【００４５】
また、本発明によれば、表示画面が移動電話端末の表示画面であり、複数のサブ画像の各々に対して位置情報に基づいてリンク付けした移動電話端末用Ｗｅｂページを生成し、ＷｅｂページのＵＲＬを記述した電子メールを移動電話端末に送信するので、移動電話端末において各Ｗｅｂページのリンクを辿ることにより複数のサブ画像の切り替え表示しながら閲覧することにより、移動電話端末の小さな表示画面においてもいつでもどこでもＦＡＸや電子メールの大きな画像でも画像全体を簡単に閲覧することができ、利便性を著しく向上することができる。
【００４６】
更に、本発明によれば、入力画像として電話網から送信されるファクシミリ画像を受信するので、ファクシミリ画像のような大きな画像でも例えば移動電話端末の小さな表示画面においていつでもどこでも閲覧することができる。
【００４７】
本発明によれば、インターネットからの電子メールに添付されたデジタル画像を受信するので、電子メールの画像のような大きな画像でも例えば移動電話端末の小さな表示画面においていつでもどこでも閲覧することができる。
【図面の簡単な説明】
【図１】本発明の一実施形態に係わる画像表示装置の構成を示す図である。
【図２】図１に示す画像表示装置の画像変換部で分割された複数のサブ画像とそのファイル名を示す図である。
【図３】図１に示す画像表示装置の作用を示すフローチャートである。
【符号の説明】
１  携帯電話ユーザ用ＦＡＸ画像変換・蓄積サーバ
３  移動体通信会社ＧＷ
５  携帯電話
７  インターネット
９  データ端末
１１  電話網
１３  ファクシミリ
２１  ＦＡＸ受信部
２３  電子メール受信部
２５  画像変換部
２７  画像蓄積部
２９  表示処理部
３１  電子メール送信部
【図１】
0004402822.tif 000002
【図２】
0004402822.tif 000003
【図３】
0004402822.tif 000004